(57)【要約】      （修正有）【課題】使い勝手がよく、需要に応じて洗濯機の大きさに合うよう調節可能なランドリーラックを提供する。【解決手段】トップフレーム１及びボトムフレーム４を含むランドリーラックであって、トップフレームとボトムフレームの間には互いに連結された若干の縦支柱２が設置され、トップフレームとボトムフレームの間には複数の棚板５が設置され、棚板は縦支柱上に連結されており、縦支柱の間にはＸ型支え８が設けられて互いに連結されており、同一軸線上の縦支柱の間は縦支柱固定具３によって互いに連結され、棚板と縦支柱の間は横支柱固定具によって互いに連結され、棚板受けはアジャスタ７によって横支柱と連結されている。ランドリーラックのスピーディな組立及び解体を実現することができると同時に、洗濯機の型番の違いによって調節することもでき、簡単で使いやすく、空間利用率が向上する。【選択図】図１
0003227282.tif 000002
【実用新案登録請求の範囲】
【請求項１】
トップフレーム（１）とボトムフレーム（４）とを含むランドリーラックにおいて、
前記トップフレーム（１）と前記ボトムフレーム（４）とは、骨組み構造であり、
前記トップフレーム（１）と前記ボトムフレーム（４）との間は、互いに連結された４組の縦支柱（２）によって互いに連結され、
前記縦支柱（２）の間は、縦支柱固定具（３）によって互いに連結されており、
複数の棚板（５）は、水平に設置され、
前記棚板（５）の両側は、棚板受け（５１）であり、
前記棚板受け（５１）の片端は、横支柱固定具を介して前記縦支柱（２）と連結され、他端は、アジャスタ（７）によって横支柱（６）と連結されており、
前記横支柱（６）の端部と前記縦支柱（２）との間は、前記横支柱固定具によって連結されており、
ランドリーラックの後方には、Ｘ型支え（８）が設置され、
前記Ｘ型支え（８）が、両側の前記縦支柱（２）と連結されていることを特徴とする、ランドリーラック。
【請求項２】
前記横支柱固定具は、連結部材（６１）を含み、
前記縦支柱（２）上には、異形孔（２１）が設置され、
前記異形孔（２１）は、片端が円形、片端が四角形の孔構造であり、
前記連結部材（６１）は、前記横支柱（６）の内径と整合するパイプ構造であり、
前記連結部材（６１）の片端には円柱体の丸ストッパ（６２）が設置され、
前記丸ストッパ（６２）と前記連結部材（６１）の間には、角ストッパ（６５）が設けられており、
前記連結部材（６１）の、前記丸ストッパ（６２）が設けられていない側の端部は、横支柱（６）の中に挿入され、
前角ストッパ（６５）は、前記異形孔（２１）の四角端と噛み合い、
前記連結部材（６１）上には、第３貫通孔（６４）が設けられ、
前記横支柱（６）内には、弾性フックが設けられ、
前記弾性フックは、前記第３貫通孔（６４）内に係止されており、
前記角ストッパ（６５）と前記連結部材（６１）との間には、スペーサ（６３）が設けられ、
前記スペーサ（６３）が、プラスチック片であることを特徴とする、請求項１に記載のランドリーラック。
【請求項３】
前記縦支柱固定具（３）は、外部中央に連結テーブル（３２）が設けられた連結パイプ（３１）を含み、
前記連結テーブル（３２）は、前記連結パイプ（３１）を上下二つの部分に分けており、
前記連結テーブル（３２）は、前記連結パイプ（３１）の外側を被装するリング状ゴム構造であり、
リング状ゴム構造の内部中央は、ゴム平面であり、
前記連結テーブル（３２）のリング状構造の上下両側は、円弧形を呈して内向きに湾曲し、
前記連結パイプ（３１）の上下両部分上には、それぞれ第１貫通孔（３３）が設けられており、
上下２本の前記縦支柱（２）が、それぞれ前記連結パイプ（３１）の上下両部分に挿入されており、
前記連結パイプ（３１）内には、弾性片が設けられ、
弾性片上のフックが前記第１貫通孔（３３）を貫通することにより固定を行うことを特徴とする、請求項１に記載のランドリーラック。
【請求項４】
前記アジャスタ（７）は、中空のパイプであり、
前記アジャスタ（７）は、前記横支柱（６）と前記棚板受け（５１）との連結部に設置されており、
前記棚板受け（５１）の口径は、前記横支柱（６）より大きく、
前記横支柱（６）は、前記棚板受け（５１）内に伸入しており、
前記アジャスタ（７）の下端には、ネジ構造で前記横支柱（６）に当接するつまみ（７２）が設けられており、
前記アジャスタ（７）の両側には、Ｕ型溝（７１）が対称に設けられており、
前記アジャスタ（７）の内壁上には、係止点（７３）が設けられ、
前記係止点（７３）の位置は、前記Ｕ型溝（７１）に近接しており、
前記棚板受け（５１）上に係止点（７３）に対応する第２貫通孔（５２）が設けられていることを特徴とする、請求項１に記載のランドリーラック。
【請求項５】
前記Ｘ型支え（８）は、互いに交差して設置された２本の支持棒（８２）を含み、
前記支持棒（８２）間は、ピンで連結されており、
前記各支持棒（８２）の両端には、いずれも調節ボルト（８３）が設けられ、
前記Ｘ型支え（８）と連結される前記縦支柱（２）上には、滑り溝（８１）が設けられ、
４つの前記調節ボルト（８３）が、それぞれ４本の前記滑り溝（８１）内に設置されていることを特徴とする、請求項１に記載のランドリーラック。
【請求項６】
前記ボトムフレーム（４）の底部には、４つの脚台（９）が設けられており、
前記脚台（９）は、調節可能なネジ構造で、底部がゴムブロックであることを特徴とする、請求項１に記載のランドリーラック。
【考案の詳細な説明】
【技術分野】
【０００１】
本考案は、ランドリーラックに係わる。
【背景技術】
【０００２】
家庭では、洗濯機の位置の上方にある空間の利用率はかなり低く、ラックとして用いると、空間利用率を大幅に高めることはできるが、洗濯機の大きさの仕様が異なるため、既存のラックは洗濯機の大きさに基づいて注文生産されるのが一般的である。
また、ラックは、高額であるだけでなく、取付に時間と労力がかかり、後に洗濯機を交換する場合、ラックの大きさによって洗濯機の選択肢が限定され、使用コストが高くなる。
さらに、引っ越しが必要な場合、既存のランドリーラックは運び出せないことが多いので、大きな無駄になる。
【考案の概要】
【考案が解決しようとする課題】
【０００３】
本考案は、使い勝手がよく、需要に応じて洗濯機の大きさに合うよう調節可能なランドリーラックに係わる。
【課題を解決するための手段】
【０００４】
この目的を実現するために、本考案では以下の構造を採用している。
即ち、トップフレーム及びボトムフレームを含むランドリーラックであって、トップフレームとボトムフレームとは骨組み構造であり、トップフレームとボトムフレームとの間は互いに連結された４組の縦支柱によって互いに連結され、縦支柱の間は縦支柱固定具によって互いに連結されており、複数の棚板が水平に設置され、棚板の両側は棚板受けであり、棚板受けの片端は横支柱固定具を介して縦支柱と連結され、他端はアジャスタによって横支柱と連結されており、横支柱の端部と縦支柱の間は横支柱固定具によって連結されており、ランドリーラックの後方にはＸ型支えが設置されており、Ｘ型支えは両側の縦支柱と連結されている。
【０００５】
また、横支柱固定具は連結部材を含み、縦支柱上には異形孔が設置され、異形孔は片端が円形、片端が四角形の孔構造であり、連結部材は横支柱の内径と整合するパイプ構造であり、連結部材の片端には円柱体の丸ストッパが設置され、丸ストッパと連結部材の間には角ストッパが設けられており、連結部材は横支柱の中に挿入されており、角ストッパは、異形孔の四角端と噛み合い、連結部材上には第３貫通孔が設けられ、横支柱内には弾性フックが設けられ、弾性フックは第３貫通孔内に係止されており、角ストッパと連結部材との間にはスペーサが設けられており、スペーサはプラスチック片である。
【０００６】
また、縦支柱固定具は、外部中央に連結テーブルが設けられた連結パイプを含み、連結テーブルは連結パイプを上下二つの部分に分けており、連結テーブルは連結パイプの外側を被装するリング状ゴム構造であり、リング状ゴム構造の内部中央はゴム平面であり、連結テーブルのリング状構造の上下両側は円弧形を呈して内向きに湾曲し、連結パイプの上下両部分上にはそれぞれ第１貫通孔が設けられており、上下２本の縦支柱はそれぞれ連結パイプの上下両部分に挿入されており、連結パイプ内には弾性片が設けられ、弾性片上のフックが第１貫通孔を貫通することにより固定を行っている。
【０００７】
また、アジャスタは中空のパイプであり、アジャスタは横支柱と棚板受けの連結部に設置されており、棚板受けの口径は横支柱より大きく、横支柱は棚板受け内に伸入しており、アジャスタの下端にはネジ構造で横支柱に当接するつまみが設けられており、アジャスタの両側にはＵ型溝が対称に設けられており、アジャスタの内壁上には係止点が設けられ、係止点の位置はＵ型溝に近接しており、棚板受け上には係止点に対応する第２貫通孔が設けられている。
【０００８】
また、Ｘ型支えは互いに交差して設置された２本の支持棒を含み、支持棒の間はピンで連結されており、各支持棒の両端にはいずれも調節ボルトが設けられ、Ｘ型支えと連結された縦支柱上には滑り溝が設けられ、４つの調節ボルトはそれぞれ４本の滑り溝内に設置されている。
【０００９】
また、ボトムフレームの底部には４つの脚台が設けられており、脚台は調節可能なネジ構造で、脚台の底部はゴムブロックである。
【考案の効果】
【００１０】
有効な効果としては、本考案は構造設計が合理的で、ランドリーラックのスピーディな組立及び解体を実現することができると同時に、洗濯機の型番の違いによって調節することもできるので、簡単で使いやすく、空間利用率が向上するという点が挙げられる。
【図面の簡単な説明】
【００１１】
本考案は、例を挙げ、図面を参照する方式で説明されている。そのうち、
【図１】図１は、本考案の立体構造図である。
【図２】図２は、横支柱固定具の構造概略図である。
【図３】図３は、縦支柱固定具の構造概略図である。
【図４】図４は、連結パイプの構造概略図である。
【図５】図５は、アジャスタ装置の構造概略図である。
【図６】図６は、アジャスタと棚板受けの分離構造概略図である。
【図７】図７は、アジャスタの立体構造図である。
【図８】図８は、アジャスタの断面構造図である。
【図９】図９は、Ｘ型支えの構造概略図である。
【考案を実施するための形態】
【００１２】
本明細書で公開されているすべての特徴、または公開されているすべての方法またはプロセスにおけるステップは、互いに斥け合う特徴及び／またはステップを除き、いずれも何らかの方式で組み合わせることができる。
【００１３】
本明細書（あらゆる付加的請求項、要約及び図面を含む）で公開されているいずれの特徴も、特に記載がある場合を除き、すべて、他の同等の、または類似の目的を有する代替特徴を以て置き換えることができる。つまり、特に記載がある場合を除き、いずれの特徴も、一連の同等または類似する特徴の中の１つの例にすぎないのである。
【００１４】
図１に示すランドリーラックは、トップフレーム１及びボトムフレーム４を含み、トップフレーム１とボトムフレーム４は骨組み構造であり、トップフレーム１とボトムフレーム４の間は互いに連結された４組の縦支柱２によって互いに連結されている。
【００１５】
縦支柱２の間は縦支柱固定具３によって互いに連結されており、複数の棚板５が水平に設置されている。
【００１６】
棚板５の両側は棚板受け５１であり、棚板受け５１の片端は横支柱固定具を介して縦支柱２と連結され、他端はアジャスタ７によって横支柱６と連結されている。
【００１７】
横支柱６の端部と縦支柱２の間は横支柱固定具によって連結されており、ランドリーラックの後方にはＸ型支え８が設置されており、Ｘ型支え８は両側の縦支柱２と連結されている。
【００１８】
図２、図３に示すように、横支柱固定具は連結部材６１を含み、縦支柱２上には異形孔２１が設置され、異形孔２１は片端が円形、片端が四角形の孔構造である。
【００１９】
連結部材６１は横支柱６の内径と整合するパイプ構造であり、連結部材６１の片端には円柱体の丸ストッパ６２が設置され、丸ストッパ６２と連結部材６１の間には角ストッパ６５が設けられている。
【００２０】
図２では、連結部材６１を横支柱６の中に挿入し、丸ストッパ６２を異形孔２１の円形端に挿入して連結部材６１を動かすことで、角ストッパ６５を異形孔２１の四角端に移動させて、縦支柱２と横支柱６とを連結させている。
【００２１】
連結部材６１上には第３貫通孔６４が設けられ、横支柱６内には弾性フックが設けられ、弾性フックは第３貫通孔６４内に係止されている。
【００２２】
角ストッパ６５と連結部材６１との間にはスペーサ６３が設けられており、スペーサ６３はプラスチック片である。
【００２３】
横支柱と縦支柱の間が横支柱固定具によって互いに連結されているので、便利かつスピーディで、しかも角ストッパが異形孔と噛み合うことで、連結をより強固にし、横支柱の脱落を防止することができる。
【００２４】
図４に示すように、縦支柱固定具３は、外部中央に連結テーブル３２が設けられた連結パイプ３１を含む。
【００２５】
連結テーブル３２は、連結パイプ３１を上下二つの部分に分けており、連結テーブル３２は連結パイプ３１の外側を被装するリング状ゴム構造である。
【００２６】
リング状ゴム構造の内部中央はゴム平面であり、連結テーブル３２のリング状構造の上下両側は円弧形を呈して内向きに湾曲し、連結パイプ３１の上下両部分上にはそれぞれ第１貫通孔３３が設けられている。
【００２７】
上下２本の縦支柱２はそれぞれ連結パイプ３１の上下両部分に挿入されており、連結パイプ３１内には弾性片が設けられ、弾性片上のフックが第１貫通孔３３を貫通することにより固定を行っている。
【００２８】
縦支柱の間は縦支柱固定具によって互いに連結されているので、需要に応じてラック全体の高さを調節することができ、また縦支柱の間の連結が便利でスピーディであり、しかも縦支柱間の摩擦によりコーティングが剥がれることもない。
【００２９】
図５〜図８に示すように、アジャスタ７は中空のパイプであり、アジャスタ７は横支柱６と棚板受け５１の連結部に設置されている。
【００３０】
棚板受け５１の口径は横支柱６より大きく、横支柱６は棚板受け５１内に伸入しており、アジャスタ７の下端にはネジ構造で横支柱６に当接するつまみ７２が設けられている。
【００３１】
アジャスタ７の両側にはＵ型溝７１が対称に設けられており、アジャスタ７の内壁上には係止点７３が設けられている。
【００３２】
係止点７３の位置はＵ型溝７１に近接しており、棚板受け５１上には係止点７３に対応する第２貫通孔５２が設けられている。アジャスタは、棚板が横方向に伸縮する機能を実現しており、需要に応じてラックの幅を調節することができる。
【００３３】
図９に示すように、Ｘ型支え８は、互いに交差して設置された２本の支持棒８２を含む。
【００３４】
支持棒８２の間はピンで連結されており、各支持棒８２の両端にはいずれも調節ボルト８３が設けられ、Ｘ型支え８と連結された縦支柱２上には滑り溝８１が設けられ、４つの調節ボルト８３がそれぞれ４本の滑り溝８１内に設置されている。
【００３５】
ボトムフレーム４の底部には４つの脚台９が設けられており、脚台９は調節可能なネジ構造で、脚台９の底部はゴムブロックである。Ｘ型支えにより、構造全体がより安定する。
【００３６】
本考案は、構造設計が合理的で、ランドリーラックのスピーディな組立及び解体を実現することができると同時に、洗濯機の型番の違いによって調節することもでき、簡単で使いやすく、空間利用率が向上する。
【００３７】
本考案は前述の具体的な実施形態に限定されるものではない。本考案は、本明細書で開示されている新たな特徴や新たな組合せ、及び開示されている新たな方法やプロセスのステップや新たな組合せに拡大される。
【符号の説明】
【００３８】
１  トップフレーム
２  縦支柱
２１  異形孔
３  縦支柱固定具
３１  連結パイプ
３２  連結テーブル
３３  第１貫通孔
４  ボトムフレーム
５  棚板
５１  棚板受け
５２  第２貫通孔
６  横支柱
６１  連結部材
６２  丸ストッパ
６３  スペーサ
６４  第３貫通孔
６５  角ストッパ
７  アジャスタ
７１  Ｕ型溝
７２  つまみ
７３  係止点
８  Ｘ型支え
８１  滑り溝
８２  支持棒
８３  調節ボルト
９  脚台
【図１】
0003227282.tif 000003
【図２】
0003227282.tif 000004
【図３】
0003227282.tif 000005
【図４】
0003227282.tif 000006
【図５】
0003227282.tif 000007
【図６】
0003227282.tif 000008
【図７】
0003227282.tif 000009
【図８】
0003227282.tif 000010
【図９】
0003227282.tif 000011